(57)【特許請求の範囲】
【請求項１】
円柱体の外周面上に装着する防護器具において、
前記円柱体の外周面上に装着され、少なくとも２つに分割可能な装着部と、
線状の形状を有する線部と、
自部内の貫通孔に挿通される前記線部を中心軸として自部の外周に接する接線方向の力で回転する回転部と、を備え、
前記装着部は、端部に、前記円柱体との非接触側に突出した支持部と、前記支持部の内部に形成された円形の挿入孔と、を備え、
前記回転部は、前記貫通孔に挿通された前記線部が前記挿入孔に挿入されることで、前記装着部の前記円柱体との非接触側に配置され、前記装着部は、前記円柱体の外周面上に固定される防護器具。
【請求項２】
前記線部は、前記回転部を挿通して一定間隔で並列に配置され、
前記回転部は、隣接かつ非接触の状態で配置されている請求項１に記載の防護器具。
【請求項３】
前記回転部は、球形の形状を有し、前記回転部の半径は、前記挿入孔の半径と前記支持部の外端部から前記挿入孔までの最短距離との総距離よりも大きい請求項１又は２に記載の防護器具。
【請求項４】
前記防護器具を複数並列に連結する連結金具を更に備え、
前記連結金具は、前記防護器具を両外側の各列で連結し、前記貫通孔に前記線部が挿通された前記回転部のみを含む少なくとも１つ以上の防護器具を内側の列で連結する請求項１乃至３のいずれかに記載の防護器具。
【発明の詳細な説明】
【技術分野】
【０００１】
本発明は、防護器具に関するものである。
【背景技術】
【０００２】
サル、トリ、リス等の鳥獣類は、電柱によじ登り、電柱に架設された電話線等の電気設備を毀損させる。例えば、サルが電話線を綱渡りすることで、表面や内部の絶縁体に傷を与え、内部の導体が露出する。その後、電話線内に侵入した雨水の影響により導体が腐食し、その腐食が進行することで導体が破断する。その結果、供給中の通信サービスを一時中断して電話線を交換する等、通信事業者に重大な被害が発生する。この対策として、非特許文献１を適用することが考えられる。非特許文献１では、サルの侵入を防止するために電気柵を設置する。
【先行技術文献】
【非特許文献】
【０００３】
【非特許文献１】“サル対策の具体例”、［2019年10月1日］、インターネット＜URL : https://www.pref.niigata.lg.jp/sec/minamiuonuma_kenkou/1356781408589.html＞
【発明の概要】
【発明が解決しようとする課題】
【０００４】
しかしながら、非特許文献１の場合、電気柵の設置や電源の確保等、大規模な対策設備を導入する必要があるため、市中に設置されている全ての電柱（１都道府県あたり約７０万本以上）を網羅するには費用がかかる。また、電気柵の電線間や網目の大きさを小動物の大きさまで小さくすることは費用面及び技術面で困難な場合も多く、リス等に対しては無策に等しい。
【０００５】
本発明は、上記に鑑みてなされたものであり、鳥獣類から電気設備を防護することを目的とする。
【課題を解決するための手段】
【０００６】
上記課題を解決するため、本発明の防護器具は、柱状の外周面上に装着する防護器具において、線状の形状を有する線部と、自部内の貫通孔に挿通される前記線部を中心軸として自部の外周に接する接線方向の力で回転する回転部と、を備える。
【発明の効果】
【０００７】
本発明によれば、鳥獣類から電気設備を防護できる。
【図面の簡単な説明】
【０００８】
【図１】第１実施形態に係る防護器具の構成を示す図である。
【図２】図１の防護器具の使用例を示す図である。
【図３】図１の防護器具の上面図である。
【図４】図１の防護器具の側面図である。
【図５】図１の防護器具（複数）の使用例を示す図である。
【図６】図１の防護器具（複数）の使用例（別例）を示す図である。
【図７】第２実施形態に係る防護器具の構成を示す図である。
【図８】図７の防護器具の使用例を示す図である。
【図９】図７の防護器具（複数）の使用例を示す図である。
【図１０】ワイヤの結線方法の例を示す図である。
【発明を実施するための形態】
【０００９】
以下、本発明を実施する一実施形態について図面を用いて説明する。
【００１０】
［第１実施形態］
［防護器具の構成及び組み立て方法］
図１は、第１実施形態に係る防護器具の構成を示す図である。図２は、図１の防護器具を組み立てて、電柱（柱体）１００で使用した場合の使用例を示す図である。図１の防護器具は、図２に示すように電柱１００の外周面上に装着される防護器具であり、１つのワイヤ（線部）１と、複数の回転体（回転部）２と、締め付け金具（装着部）３と、を備える。
【００１１】
ワイヤ１は、線状の形状を有し、短手方向の断面が円形の形状を有し、自身の形状を自由自在に可変可能であり、可変後の形状を維持可能な針金である。１つのワイヤ１は、複数の回転体２に連続して挿入される。ワイヤ１は、その両端を寄り合わせて１つの閉じ輪を形成することで、複数の回転体２を数珠状・輪状に連結する。
【００１２】
ワイヤ１は、線部の例であり、回転体２を電柱１００の外周面上に取り付け可能であれば、紐、ゴム等でもよい。その他、線状の形状を有し、短手方向の断面が円形の形状を有する棒体でもよい。棒体の場合、自身の形状を自由自在に可変することは困難であり、複数の回転体２を電柱１００の外周面の曲面に沿わせることは難しいが、複数の回転体２を１列に直線状に連結した複数の棒体を、電柱１００を中心に水平方向の３６０度方位に一定角度毎（例えば、３０度毎）に設置することで、複数の回転体２を略数珠状・略輪状にすることができる。
【００１３】
回転体２は、自身内部の貫通ホール（貫通孔）２１に挿通されるワイヤ１を中心軸として、自体の外周に接する接線方向の力で回転する球体である。回転体２の形状が球形の場合、回転体２は、表面（曲面）の円周に接する接線方向の力で回転する。回転体２が電柱１００の表面で垂直方向（図１及び図２のｙ軸方向）に回転するので、鳥獣類が電柱１００によじ登ることを防止でき、電気設備を防護できる。尚、本発明において、「接線」とは、球形の表面を形成する曲面上の１点に接する接線以外に、回転体２の形状が立方体等平面を有する場合、その平面に接する接線も含まれる。
【００１４】
複数の回転体２は、１つのワイヤ１により、各自の貫通ホール２１に当該１つのワイヤ１をそれぞれ挿通することで、数珠状・輪状に１列に連結される。このとき、隣接する複数の回転体２は、回転力を維持するため、つまり、隣接する回転体２同士の接触を防ぐため、ミリ単位の間隙をおいて連結される。回転体２の回転力を維持するために、貫通ホール２１内に潤滑剤（減摩材）を注入してもよい。
【００１５】
複数の回転体２は、必ずしも数珠状・輪状に連結される必要はない。つまり、ワイヤ１の長手方向の全区間が複数の回転体２で十分に埋め尽くされている必要はなく、その長手方向の一部区間にのみ所定数の回転体２を限定的に配置してもよい。その他、電柱１００を中心に水平方向の方位に応じて回転体２の数の粗密を変更してもよい。例えば、電柱１００の外周面において海側の外周面に配置する数よりも、サルが生息する山側の外周面に配置する数を多くする。
【００１６】
回転体２は、鳥獣類が回転体２自体を掴むことを困難にするため、球形、円柱形、円筒形、楕円形等の形状を基本形状とする。但し、回転体２は、貫通ホール２１内のワイヤ１を中心に回転可能であればよく、必ずしも一部又は全部に球形や円形の形状を有する必要はない。例えば、多面体、正多面体、立方体、直方体等でもよい。立方体等の場合、サルが一部の平面に手をかける可能性はあるものの、その立方体自体が垂直方向に回転するので、手の部分が固定されず不安定になるため、立方体等であっても電柱１００によじ登ることを防止できる。
【００１７】
締め付け金具３は、回転体２を電柱１００の外周面上に装着する支持金具である。締め付け金具３は、例えば、２つの部品３Ａ，３Ｂで構成される。その２つの部品３Ａ，３Ｂは、それぞれ、電柱１００の水平方向での断面の曲率と同じ曲率を持つ１つの湾曲部３１と、湾曲部３１の両端及び側面に形成され、自身内部の円形の挿入ホール（挿入孔）３３にワイヤ１を挿入して回転体２を支持する複数の支持部３２と、を備える。
【００１８】
湾曲部３１及び支持部３２の数は、任意である。但し、鳥獣類が回転体２ではなく支持部３２を把持する可能性があり、その一方で、少ないと複数の回転体２が自身の重みで垂れ下がる可能性があるので、支持部３２の数は１つの防護器具あたり合計４〜６つ程度が好ましい。
【００１９】
湾曲部３１及び支持部３２の幅（Ｙ軸方向の長さ）は、回転体２の直径（Ｙ軸方向の長さ）に比べて十分に小さい。この点については、図４を用いて後述する。また、支持部３２は、角のエッジ部分にＲ加工が施されている。これらにより、締め付け金具３の全体を複数の回転体２で覆い、外側から見え難い状態とし、かつ、鳥獣類が締め付け金具３を把持する可能性を確実に低減する。
【００２０】
ワイヤ１、回転体２、締め付け金具３は、任意の素材で形成される。ワイヤ１は、金属の他、腐食性及び強度を確保するために例えばステンレスであることが好ましい。回転体２は、金属の他、設置重量を軽減するために例えばプラスチックであることが好ましい。締め付け金具３は、ワイヤ１及び回転体２を長期間維持固定するために例えば金属であることが好ましい。
【００２１】
次に、防護器具の組み立て方法について説明する。
【００２２】
まず、締め付け金具３を構成する２つ部品３Ａ，３Ｂの各湾曲部３１を電柱１００の所定位置（地表面と電話線等（防護対象の電気設備）との間）にそれぞれ配置し、各湾曲部３１を各湾曲部３１の係止部（不図示）で互いに連結して当該所定位置に固定する。このとき、締め付け金具３は、鳥獣類の背丈よりも高い位置に固定することが好ましい。
【００２３】
その後、ワイヤ１の一端を、複数の回転体２の各貫通ホール２１にそれぞれ挿通し、締め付け金具３の支持部３２の一の挿入ホール３３に更に挿通する。この作業を数回繰り返し行い、最後にワイヤ１の両端を寄り合わせる。このとき、隣接する回転体２同士が接触しないように回転体２間に一定の間隙を設け、かつ、回転体２が締め付け金具３の湾曲部３１にも接触しないように回転体２と湾曲部３１の間にも一定の間隔を設けるように、各回転体２の位置を決定する。これにより、図２に示したように、電柱１００の外周面上に複数の回転体２を数珠状・輪状に配置する。
【００２４】
このように、第１実施形態に係る防護器具は、線状の形状を有するワイヤ１と、自身内部の貫通ホール２１に挿通されるワイヤ１を中心軸として、自体の外周に接する接線方向の力で回転する回転体２と、を備えるので、鳥獣類が電柱１００によじ登ることを防止でき、電気設備を防護できる。
【００２５】
また、第１実施形態に係る防護器具は、回転体２が、球形、円柱形、円筒形、楕円形のうちいずれかの形状を有するので、鳥獣類が電柱１００によじ登ることをより確実に防止でき、電気設備をより確実に防護できる。
【００２６】
尚、締め付け金具３は、新たに用意する必要はなく、電柱１００に装着されている既存のものを流用してもよい。例えば、電柱１００に金属製の梯子状の固定バンド等が既に装着されている場合、その固定バンド内の孔にワイヤ１を挿通することで、回転体２を電柱１００に装着してもよい。その他、ワイヤ１に代えてゴムを用いる場合、ゴム自身が持つ伸縮作用により回転体２を電柱１００に配置できるので、締め付け金具３は不要となる。
【００２７】
［回転体及び支持部の大きさ］
図３は、図１の防護器具の上面図である。図３では、締め付け金具３の支持部３２と、当該支持部３２に隣接する１つの回転体２と、に着目している。
【００２８】
支持部３２の大きさがやや大きい場合、鳥獣類が回転体２ではなく当該支持部３２を把持（指で掴んで）して電柱１００をよじ登る可能性がある。そこで、鳥獣類が電柱１００をよじ登る可能性を確実に低減するため、つまり、鳥獣類が支持部３２を把持する可能性を排除するため、電柱１００の外周面（基準面）から図１の水平方向（図３の垂直方向）に突出する支持部３２及び回転体２の突出量を調整する。
【００２９】
例えば、回転体２に挿通されたワイヤ１の短手方向の中心から当該回転体２の高さが、支持部３２の高さよりも高くなるように、回転体２と支持部３２の大きさを決定する。より具体的には、図３に示すように、回転体２の半径をＲｒ、ワイヤ１の半径をＲｗ、支持部３２の挿入ホール３３の半径をＲｈ、支持部３２の外端部から挿入ホール３３までの最短距離をｄとした場合、「Ｒｒ＞＞（Ｒｈ＋ｄ）＞Ｒｗ」の条件を満たすように回転体２と支持部３２の大きさを設計する。
【００３０】
このように、第１実施形態に係る防護器具は、回転体２の半径Ｒｒが、支持部３２の挿入ホール３３の半径Ｒｈと支持部３２の外端部から挿入ホール３３までの最短距離との総距離（Ｒｈ＋ｄ）よりも大きいので、鳥獣類が支持部３２を把持する可能性を低減できる。それ故、鳥獣類が電柱１００によじ登ることをより確実に防止でき、電気設備をより確実に防護できる。
【００３１】
ここまで、図３を参照しながら、図１の水平方向における支持部３２及び回転体２の高さについて説明した。しかし、鳥獣類が支持部３２の上端部に手をかけて電柱１００をよじ登る可能性が残る。そこで、続いては、電柱１００へのよじ登り防止効果を更に高めるため、図１の垂直方向における、湾曲部３１並びに支持部３２、及び回転体２の高さについて説明する。
【００３２】
図４は、図１の防護器具の側面図である。図４では、締め付け金具３の湾曲部３１及び支持部３２と、当該支持部３２に隣接する１つの回転体２と、に着目している。ここでは、図１の垂直方向（図４の垂直方向）の上方向に突出する湾曲部３１、支持部３２、回転体２の突出量を調整する。例えば、図４に示すように、回転体２の半径をＲｒ、湾曲部３１及び支持部３２の各上端部から中心までの距離をＷとした場合、「Ｒｒ＞＞Ｗ」の条件を満たすように回転体２と湾曲部３１及び支持部３２との大きさを設計する。
【００３３】
このように、第１実施形態に係る防護器具は、回転体２の半径をＲｒが、湾曲部３１及び支持部３２の各上端部から中心までの距離Ｗよりも大きいので、鳥獣類が湾曲部３１及び支持部３２の各上端部に手をかける可能性を低減できる。それ故、鳥獣類が電柱１００によじ登ることをより確実に防止でき、電気設備をより確実に防護できる。
【００３４】
［防護器具の使用例（応用例）］
図５は、図１の防護器具を複数用意し、電柱１００に対して、その複数の防護器具を垂直方向に並列に配置した場合の使用例を示す図である。複数のワイヤ１は、複数の回転体２をそれぞれ挿通し、一定間隔で並列に配置される。複数の回転体２は、左右及び上下で隣接かつ非接触の状態で密に配置される。２次元状に配置される複数の回転体２は、行列状（マトリクス状）に配置される。単位面積あたりの密度を高めるため、複数の回転体２を千鳥状に配置してもよい。鳥獣類の種類や手の大きさに応じて、単位面積あたりの回転体２の数を異にしてもよい。例えば、防護器具自体の大きさを全体的に小さく設計し、所定面積に含まれる回転体２の数を多くする。これにより、鳥獣類の手足が回転体２に接する接合面の大きさを最大化する。その他、上述した通り、回転体２は、球形に限らず円柱形や円筒形でもよい。この場合、並列に配置された複数の防護器具は、プールのコースを仕切る複数のコースロープのようになり、その回転体２は、コースロープフロートのようになる。
【００３５】
このように、第１実施形態に係る防護器具は、複数のワイヤ１が、複数の回転体２を挿通して一定間隔で並列に配置され、複数の回転体２は、隣接かつ非接触の状態で配置されているので、鳥獣類が電柱１００によじ登ることをより確実に防止でき、電気設備をより確実に防護できる。
【００３６】
複数の防護器具を垂直方向に単純に並列に配置した場合、図５に示したように、各締め付け金具３の支持部３２が垂直方向で連なる状態になる。この場合、支持部３２の総面積がｎ倍（ｎは２以上の自然数）に大きくなり、鳥獣類により把持される面積領域が大きくなる。そこで、図６に示すように、上下で隣接する防護器具の各支持部３２の位置を垂直方向でずらして非連続状態とする。
【００３７】
このように、第１実施形態に係る防護器具は、上下で隣接する防護器具の各支持部３２が垂直方向でずらして非連続に位置決めされるので、複数の防護器具を垂直方向に並列したことで支持部３２の総面積が大きくなる状態を排除できる。それ故、鳥獣類が電柱１００によじ登ることをより確実に防止でき、電気設備をより確実に防護できる。
【００３８】
［第２実施形態］
［防護器具の構成及び組み立て方法］
図５及び図６の場合、電柱１００に対して複数の防護器具を個々にそれぞれ装着しているので、時間経過に伴い、いずれかの防護器具がずり落ち、隣接する防護器具間の間隙が不均一になり、複数の回転体２の密の状態が疎になる可能性がある。そこで、第２実施形態では、連結金具４を備える。
【００３９】
図７は、第２実施形態に係る防護器具の構成を示す図である。図８は、図７の防護器具を組み立てて、電柱１００で使用した場合の使用例を示す図である。図７の防護器具は、図１に示した第１実施形態の構成に対して、図１の防護器具を複数並列に連結する連結金具４を更に備える。
【００４０】
連結金具４は、複数のワイヤ１をそれぞれ挿通するための複数の挿入ホール４１を有する板状の金具である。連結金具４は、複数の防護器具の各ワイヤ１を当該複数の挿入ホール４１にそれぞれ挿通することで、その複数の防護器具を垂直方向に並列に連結する。このとき、並列に連結される複数の防護器具のうち最上段の防護器具のみを電柱１００に固定すれば足りるため、複数の防護器具に係る複数の締め付け金具３のうち少なくとも１つの締め付け金具３のみ使用してもよい。図７と図８では、最上段と最下段の２つの防護器具の締め付け金具３のみを使用し、２段目と３段目の２つの防護器具の締め付け金具３は使用しない場合を例示している。
【００４１】
このように、第２実施形態に係る防護器具は、複数の挿入ホール４１を有する連結金具４を更に備えるので、時間が経過しても防護器具間の間隙が大きくなる状態を防止可能となる。これにより、複数の回転体２を常に密に配置可能となるので、鳥獣類が電柱１００によじ登ることをより確実に防止でき、電気設備をより確実に防護できる。
【００４２】
［防護器具の使用例（応用例）］
図９は、図８の防護器具を複数用意し、電柱１００に対して、その複数の防護器具を垂直方向に並列に配置した場合の使用例を示す図である。図９では、連結金具４で連結された４つの防護器具を１セットとし、合計２セットの防護器具を例示している。１セットに含まれる複数の回転体２が左右及び上下で隣接かつ非接触の状態で密に配置されるとともに、１セット目の防護器具の最下段の回転体２と２セット目の防護器具の最上段の回転体２とについても隣接かつ非接触の状態で密に配置される。
【００４３】
ここで、ｍセット（ｍは２以上の自然数）の防護器具を垂直方向に単純に並列に配置した場合、連結金具４が垂直方向で連続する状態になる。この場合、連結金具４の総面積がｍ倍に大きくなり、鳥獣類により把持される面積領域が大きくなる。そこで、図９に示したように、上下で隣接するセット同士の防護器具の各連結金具４の位置を垂直方向でずらして非連続状態とする。
【００４４】
このように、第２実施形態に係る防護器具は、４つの防護器具（１セット）を複数垂直方向に並列に配置し、各セットに含まれる複数の回転体２を左右及び上下で隣接かつ非接触の状態で密に配置するとともに、ｐセット目（ｐは１以上の自然数）の防護器具の最下段の回転体２とｐ＋１セット目の防護器具の最上段の回転体２とについても隣接かつ非接触の状態で密に配置するので、鳥獣類が電柱１００によじ登ることをより確実に防止でき、電気設備をより確実に防護できる。
【００４５】
また、第２実施形態に係る防護器具は、上下で隣接するセット同士の防護器具の各連結金具４を垂直方向でずらして非連続に位置決めするので、複数のセットの防護器具を垂直方向に並列したことで連結金具４の総面積が大きくなる状態を排除できる。それ故、鳥獣類が電柱１００によじ登ることをより確実に防止でき、電気設備をより確実に防護できる。
【００４６】
［ワイヤの結線方法（各実施形態で共通）］
ワイヤ１や紐等で回転体２を固定する場合、必ず結び目がでる。また、結び目の数が増えると、鳥獣類に掴まれる可能性が高くなる。そこで、結び目を鳥獣類に捕まれる可能性を低減するため、１つのワイヤ１を用いて一筆書きの要領で複数の防護器具を連結する。これにより、結び目の数を削減する。
【００４７】
図１０は、ワイヤ１の結線方法を示す図である。図１０では、４つの防護器具が垂直方向に並列に配置されている。図１０を参照しながら、具体例を説明する。
【００４８】
まず、ワイヤ１の一端を、最上段の支持金具５の挿入ホール５１に挿入させる。
【００４９】
次に、そのワイヤ１の一端を、１段目の表側の支持部３２Ａの挿入ホールに挿通させ、その後に裏側の支持部３２Ｂの挿入ホールに挿通させる。その後、そのワイヤ１の一端を、２段目の裏側の支持部３２Ｃの挿入ホールに挿通させ、その後に表側の支持部３２Ｄの挿入ホールに挿通させる。
【００５０】
次に、そのワイヤ１の一端を、３段目の表側の支持部３２Ｅの挿入ホールに挿通させ、その後に裏側の支持部３２Ｆの挿入ホールに挿通させる。その後、そのワイヤ１の一端を、４段目の裏側の支持部３２Ｇの挿入ホールに挿通させ、その後に表側の支持部３２Ｈの挿入ホールに挿通させる。その後、そのワイヤ１の一端を、４段目の裏側の支持部３２Ｇの挿入ホールに再度挿通させる。
【００５１】
次に、そのワイヤ１の一端を、３段目の裏側の支持部３２Ｆの挿入ホールに再度挿通させ、その後に表側の支持部３２Ｅの挿入ホールに再度挿通させる。その後、そのワイヤ１の一端を、２段目の表側の支持部３２Ｄの挿入ホールに再度挿通させ、その後に裏側の支持部３２Ｃの挿入ホールに再度挿通させる。
【００５２】
次に、そのワイヤ１の一端を、１段目の裏側の支持部３２Ｂの挿入ホールに再度挿通させ、その後に表側の支持部３２Ａの挿入ホールに再度挿通させる。その後、そのワイヤ１の一端を、支持金具５の挿入ホール５１に再度挿入させる。
【００５３】
最後に、ワイヤ１の両端を寄り合わせて閉じる。
【００５４】
このように、第１実施形態及び第２実施形態に係る防護器具は、１つのワイヤ１を用いて全ての防護器具を連結するので、ワイヤ１の結び目を１つにすることができ、結び目を鳥獣類が把持する可能性を低減できる。
【００５５】
［効果］
本実施形態によれば、線状の形状を有するワイヤ１と、自身内部の貫通ホール２１に挿通されるワイヤ１を中心軸として、自体の外周に接する接線方向の力で回転する回転体２と、を備えるので、鳥獣類が電柱１００によじ登ることを防止でき、電気設備を防護できる。
【００５６】
本実施形態によれば、複数のワイヤ１が、複数の回転体２を挿通して一定間隔で並列に配置され、複数の回転体２は、隣接かつ非接触の状態で配置されているので、鳥獣類が電柱１００によじ登ることをより確実に防止でき、電気設備をより確実に防護できる。
【００５７】
本実施形態によれば、回転体２の半径が、支持部３２の挿入ホール３３の半径と支持部３２の外端部から挿入ホール３３までの最短距離との総距離よりも大きいので、鳥獣類が支持部３２を把持する可能性を低減できる。それ故、鳥獣類が電柱１００によじ登ることをより確実に防止でき、電気設備をより確実に防護できる。
【００５８】
本実施形態によれば、回転体２が、球形、円柱形、円筒形、楕円形のうちいずれかの形状を有するので、鳥獣類が電柱１００によじ登ることをより確実に防止でき、電気設備をより確実に防護できる。
【符号の説明】
【００５９】
１…ワイヤ
２…回転体
２１…貫通ホール
３…締め付け金具
３１…湾曲部
３２…支持部
３３…挿入ホール
４…連結金具
４１…挿入ホール
５…支持金具
５１…挿入ホール
【図１】
0006876769.tif 000002
【図２】
0006876769.tif 000003
【図３】
0006876769.tif 000004
【図４】
0006876769.tif 000005
【図５】
0006876769.tif 000006
【図６】
0006876769.tif 000007
【図７】
0006876769.tif 000008
【図８】
0006876769.tif 000009
【図９】
0006876769.tif 000010
【図１０】
0006876769.tif 000011